(57)【要約】【課題】  １つの操作キーによる長押しと短押しとによって異なる操作が実行される場合にも、ユーザの操作が煩雑にならないようにすること。【解決手段】  ディスク再生装置１０は、記録媒体に記録された複数のコンテンツの中から、第１の選択モードまたは第２の選択モードでコンテンツを選択するコンテンツ選択手段と、コンテンツを選択するコンテンツ選択画面を表示する表示手段と、入力される操作信号の入力形態を判断する操作信号判断手段と、操作信号に基づいて、第１の選択モードおよび第２の選択モードの優先順位を切り換え可能に設定する優先順位設定手段と、優先順位設定手段によって設定された優先順位を判断する優先順位判断手段とを備える。操作信号の入力形態および優先順位に基づいて決定される第１選択モードまたは第２の選択モードで、コンテンツ選択手段がコンテンツを選択する。【選択図】図７
2007048391.tif 000002
【特許請求の範囲】
【請求項１】
入力される操作信号の入力形態を判断する操作信号判断手段と、
該操作信号に基づいて実行される複数の機能の優先順位を切り換え可能に設定する優先順位設定手段と、
該優先順位設定手段によって設定された優先順位を判断する優先順位判断手段と、
該操作信号の入力形態および該優先順位に基づいて、該複数の機能の中から対応する１つの機能を実行する実行手段とを備える、操作信号処理装置。
【請求項２】
前記操作信号の入力形態が、該操作信号の入力継続時間が所定時間未満である第１の入力形態と、該操作信号の入力継続時間が該所定時間以上である第２の入力形態とを含み、
前記優先順位設定手段が、該操作信号に基づいて実行される２つの機能のうち、優先する１つの機能を選択し、
前記実行手段が、該第１の入力形態のとき、優先されている方の機能を実行し、該第２の入力形態のとき、優先されていない方の機能を実行する、請求項１に記載の操作信号処理装置。
【請求項３】
操作信号を出力する操作部と、
該操作部の操作態様を判断する操作態様判断手段と、
該操作部の操作に基づいて実行される複数の機能の優先順位を切り換え可能に設定する優先順位設定手段と、
該優先順位設定手段によって設定された優先順位を判断する優先順位判断手段と、
該操作部の操作態様および該優先順位に基づいて、該複数の機能の中から対応する１つの機能を実行する実行手段とを備える、操作信号処理装置。
【請求項４】
前記優先順位設定手段が、ユーザの操作に基づいて前記複数の機能の優先順位を設定する、請求項１〜３のいずれかに記載の操作信号処理装置。
【請求項５】
前記優先順位設定手段が、前記複数の機能のそれぞれの実行回数に基づいて、該複数の機能の優先順位を設定する、請求項１〜３のいずれかに記載の操作信号処理装置。
【請求項６】
記録媒体に記録された複数のコンテンツの中から、第１の選択モードまたは第２の選択モードでコンテンツを選択するコンテンツ選択手段と、
コンテンツ選択画面を表示する表示手段と、
入力される操作信号の入力形態を判断する操作信号判断手段と、
該第１の選択モードおよび該第２の選択モードの優先順位を切り換え可能に設定する優先順位設定手段と、
該優先順位設定手段によって設定された優先順位を判断する優先順位判断手段とを備え、
該コンテンツ選択手段が、該操作信号の入力形態および該優先順位に基づいて決定される該第１選択モードまたは該第２の選択モードでコンテンツを選択する、コンテンツ選択装置。
【請求項７】
前記操作信号の入力形態が、該操作信号の入力継続時間が所定時間未満である第１の入力形態と、該操作信号の入力継続時間が該所定時間以上である第２の入力形態とを含み、
前記優先順位設定手段が、前記第１の選択モードおよび前記第２の選択モードのうち、優先する選択モードを選択し、
前記コンテンツ選択手段が、該第１の入力形態のとき、優先されている方の選択モードでコンテンツを選択し、該第２の入力形態のとき、優先されていない方の選択モードでコンテンツを選択する、請求項６に記載のコンテンツ選択装置。
【請求項８】
前記第１の選択モードが、最上位のルートディレクトリから下位のサブディレクトリまで順に前記表示手段に表示することによりコンテンツを選択するモードであり、
前記第２の選択モードが、コンテンツが記録されているディレクトリのみを該表示手段に表示することによりコンテンツを選択するモードである、請求項６または７に記載のコンテンツ選択装置。
【請求項９】
記録媒体に記録された複数のコンテンツの中から、第１の選択モードまたは第２の選択モードでコンテンツを選択するコンテンツ選択手段と、
コンテンツ選択画面を表示する表示手段と、
操作信号を出力する操作部と、
該操作部の操作態様を判断する操作態様判断手段と、
該第１の選択モードおよび該第２の選択モードの優先順位を切り換え可能に設定する優先順位設定手段と、
該優先順位設定手段によって設定された優先順位を判断する優先順位判断手段とを備え、
該コンテンツ選択手段が、該操作部の操作態様および該優先順位に基づいて決定される該第１選択モードまたは該第２の選択モードでコンテンツを選択する、コンテンツ選択装置。
【請求項１０】
前記優先順位設定手段が、ユーザの操作に基づいて、前記第１の選択モードと前記第２の選択モードとの優先順位を設定する、請求項６〜９のいずれかに記載のコンテンツ選択装置。
【発明の詳細な説明】
【技術分野】
【０００１】
本発明は、入力される操作信号の入力形態に基づいて機能を実行する操作信号処理装置、および記録媒体に記録されたコンテンツを選択するコンテンツ選択装置に関する。
【背景技術】
【０００２】
ＭＰ３ファイルまたはＷＭＡファイル等の多数のコンテンツファイルを記録したＣＤ−Ｒ（Compact Disc−Recordable）をＣＤプレーヤで再生する場合、ユーザは多数のコンテンツファイルの中から所望のコンテンツファイルを選択する必要がある。所望のコンテンツファイルを選択する方法として、以下の２つの方法が提案されている。１つ目は、ディレクトを最上位のルートディレクトリから順に下位のサブディレクトリへと辿っていき、所望のコンテンツファイルを探す方法である。２つ目は、コンテンツファイルが記録されているフォルダのみが表示部に順に表示され所望のフォルダを選択した後、そのフォルダに含まれているコンテンツファイルを選択する方法である。これら２つの選択方法をともにＣＤプレーヤで実行するためには、ＣＤプレーヤ本体にこれら２つの選択方法に対応する操作キーをそれぞれ設ける必要がある。しかし、ＣＤプレーヤ本体は、デザイン面、コスト面を考慮すると、あまり多くの操作キーを設けることができない。その上、その他にも多くの機能を実行するために多数の操作キーがＣＤプレーヤに設けられており、操作キーの削減が求められている。以上の理由により、上記２つのコンテンツファイル選択方法を実行するための２つの操作キーをＣＤプレーヤ本体に設けることは実用的ではない。
【０００３】
また、１つの操作キーが長押しされた場合と、短押し（通常押し）された場合とで実行される機能が異なるようにすることにより、１つの操作キーを用いて２つの機能を実行可能な装置が下記特許文献１に記載されている。しかし、ユーザが頻繁に使用する機能が操作キーの長押しによって実行される場合、ユーザはその機能を実行するたびに操作キーを長押しする必要があり、操作が非常に煩雑になるという問題を有している。ユーザが頻繁に使用する機能を予測して当該機能を操作キーの短押しに割り当てたとしても、どの機能を頻繁に使用するかはユーザの好みや使用環境によって異なるので、この問題は解決されない。
【０００４】
【特許文献１】特開２００２−２８３６５９号
【発明の開示】
【発明が解決しようとする課題】
【０００５】
本発明の目的は、１つの操作キーによる長押しと短押しとによって異なる機能が実行される場合にも、ユーザの操作が煩雑にならない操作信号処理装置およびコンテンツ選択装置を提供することである。
【課題を解決するための手段】
【０００６】
本発明の好ましい実施形態による操作信号処理装置は、入力される操作信号の入力形態を判断する操作信号判断手段と、該操作信号に基づいて実行される複数の機能の優先順位を切り換え可能に設定する優先順位設定手段と、該優先順位設定手段によって設定された優先順位を判断する優先順位判断手段と、該操作信号の入力形態および該優先順位に基づいて、該複数の機能の中から対応する１つの機能を実行する実行手段とを備える。
【０００７】
好ましい実施形態においては、上記操作信号の入力形態は、該操作信号の入力継続時間が所定時間未満である第１の入力形態と、該操作信号の入力継続時間が該所定時間以上である第２の入力形態とを含む。上記優先順位設定手段は、該操作信号に基づいて実行される２つの機能のうち、優先する１つの機能を選択する。上記実行手段は、該第１の入力形態のとき、優先されている方の機能を実行し、該第２の入力形態のとき、優先されていない方の機能を実行する。
【０００８】
本発明の別の好ましい実施形態による操作信号処理装置は、操作信号を出力する操作部と、該操作部の操作態様を判断する操作態様判断手段と、該操作部の操作に基づいて実行される複数の機能の優先順位を切り換え可能に設定する優先順位設定手段と、該優先順位設定手段によって設定された優先順位を判断する優先順位判断手段と、該操作部の操作態様および該優先順位に基づいて、該複数の機能の中から対応する１つの機能を実行する実行手段とを備える。
【０００９】
好ましい実施形態においては、上記優先順位設定手段は、ユーザの操作に基づいて前記複数の機能の優先順位を設定する。
【００１０】
好ましい実施形態においては、上記優先順位設定手段は、上記複数の機能のそれぞれの実行回数に基づいて、該複数の機能の優先順位を設定する。
【００１１】
本発明の好ましい実施形態によるコンテンツ選択装置は、記録媒体に記録された複数のコンテンツの中から、第１の選択モードまたは第２の選択モードでコンテンツを選択するコンテンツ選択手段と、コンテンツ選択画面を表示する表示手段と、入力される操作信号の入力形態を判断する操作信号判断手段と、該第１の選択モードおよび該第２の選択モードの優先順位を切り換え可能に設定する優先順位設定手段と、該優先順位設定手段によって設定された優先順位を判断する優先順位判断手段とを備える。該コンテンツ選択手段は、該操作信号の入力形態および該優先順位に基づいて決定される該第１選択モードまたは該第２の選択モードでコンテンツを選択する。
【００１２】
好ましい実施形態においては、上記操作信号の入力形態は、該操作信号の入力継続時間が所定時間未満である第１の入力形態と、該操作信号の入力継続時間が該所定時間以上である第２の入力形態とを含む。上記優先順位設定手段は、上記第１の選択モードおよび上記第２の選択モードのうち、優先する選択モードを選択する。上記コンテンツ選択手段は、該第１の入力形態のとき、優先されている方の選択モードでコンテンツを選択し、該第２の入力形態のとき、優先されていない方の選択モードでコンテンツを選択する。
【００１３】
好ましい実施形態においては、上記第１の選択モードは、最上位のルートディレクトリから下位のサブディレクトリまで順に前記表示手段に表示することによりコンテンツを選択するモードである。上記第２の選択モードは、コンテンツが記録されているディレクトリのみを該表示手段に表示することによりコンテンツを選択するモードである。
【００１４】
本発明の別の好ましい実施形態によるコンテンツ選択装置は、記録媒体に記録された複数のコンテンツの中から、第１の選択モードまたは第２の選択モードでコンテンツを選択するコンテンツ選択手段と、コンテンツ選択画面を表示する表示手段と、操作信号を出力する操作部と、該操作部の操作態様を判断する操作態様判断手段と、該第１の選択モードおよび該第２の選択モードの優先順位を切り換え可能に設定する優先順位設定手段と、該優先順位設定手段によって設定された優先順位を判断する優先順位判断手段とを備える。該コンテンツ選択手段は、該操作部の操作態様および該優先順位に基づいて決定される該第１選択モードまたは該第２の選択モードでコンテンツを選択する。
【００１５】
好ましい実施形態においては、上記優先順位設定手段は、ユーザの操作に基づいて、上記第１の選択モードと前記第２の選択モードとの優先順位を設定する。
【発明の効果】
【００１６】
複数の機能の中から、操作信号の入力形態（操作部の操作態様）と、機能の優先順位とによって決定される１つの機能が選択されて実行される。この優先順位が切り換え可能に設定されるので、ユーザ毎に、使用頻度の高い機能の優先順位を高く設定することにより、使用頻度の高い機能を、操作信号の入力形態（操作部の操作態様）のうち、最も操作部の操作が簡単なものに割り当てることができる。その結果、１つの操作部で複数の機能を実行する場合でも、ユーザの操作を非常に簡素化することができる。
【００１７】
具体的には、コンテンツを選択する際の第１の選択モードと、第２の選択モードとを、操作信号の入力継続時間が所定時間未満（操作部の短押し）の場合と、所定時間以上（操作部に長押し）の場合とに割り当てることができる。この場合、ユーザは、両選択モードのうち頻繁に使用する方を優先させるように優先順位を設定することにより、頻繁に使用する選択モードを、操作部の短押しによって実行できるように設定することができる。従って、１つの操作部の操作態様を変化させることによって複数の選択モードを選択的に実行する場合でも、ユーザの操作を非常に簡素化することができる。
【発明を実施するための最良の形態】
【００１８】
以下、本発明の好ましい実施形態による操作信号処理装置およびコンテンツ選択装置について説明するが、本発明はこれらの実施形態には限定されない。
【００１９】
操作信号処理装置は、操作信号の複数の入力形態（すなわち、後述する操作部の複数の操作態様）に基づいて、複数の機能の中から対応する１つの機能を選択して実行する。操作信号の入力形態（操作部の操作態様、具体的には、押し込み態様）は、操作信号の入力継続時間が所定時間未満である状態（操作部の短押し）、および、操作信号の入力継続時間が所定時間以上である状態（操作部の長押し）のことをいう。または、入力形態（操作態様）は、操作信号が入力される回数（１回または複数回）（操作部が押し込まれる回数）であってもよい。
【００２０】
操作信号処理装置は、複数の機能（第１の機能、第２の機能）の優先順位を切り換え可能に設定することができる。つまり、第１の機能、第２の機能のどちらを優先させるかをユーザの操作によって選択する（切り換える）ことができる。操作信号の入力継続時間が所定時間未満（操作部の短押し）の場合には、優先されている機能が実行され、操作信号の入力継続時間が所定時間以上（操作部の長押し）の場合には、優先されていない機能が実行される。
【００２１】
コンテンツ選択装置は、記録媒体に記録されている複数のコンテンツファイルの中から１または複数のコンテンツファイルを選択するものであり、後述する２つの選択モードを有する。これらの２つの選択モードが操作信号処理装置を使用することで、操作信号の複数の入力形態（操作部の複数の操作態様）によって選択的に実行される。
【００２２】
以下、操作信号処理装置およびコンテンツ選択装置について、これらが適用されるディスク再生装置（例えば、ＣＤプレーヤ）１０を例に具体的に説明する。
【００２３】
図１は、ディスク再生装置１０において再生されるディスク（ＣＤ−Ｒ）のデータ構造を示す概略図である。当該ディスクは、リードインエリア、データエリアおよびリードアウトエリアを内周側から順に含む。リードインエリアは、セッションの開始を示す領域であり、データエリアに含まれるトラックのトラック情報、データエリアの長さ（時間）を含むＴＯＣ（Table Of Contents）情報を記録する。データエリアは、コンテンンツファイル（例えば、音楽ファイル、映像ファイルまたは画像ファイル）およびコンテンツファイルのファイル名を記録する領域である。リードアウトエリアは、セッションの終了を示す領域である。
【００２４】
コンテンツファイルおよびそのファイル名は階層化ディレクトリ構造によってデータエリアに記録されている。階層化ディレクトリ構造は、最上位のディレクトリであるルートディレクトリＲＤ、ルートディレクトリＲＤの下位に作成される複数のサブディレクトリＳＤ１〜ＳＤ５で構成される。図１では、サブディレクトリＳＤ１は、さらに下位のサブディレクトリＳＤ４、ＳＤ５を含み、サブディレクトリＳＤ４はコンテンツファイルＡ〜Ｃを、サブディレクトリＳＤ５はコンテンツファイルＤ〜Ｆをそれぞれ含む。コンテンツファイルのファイル名は、直前の（すぐ上の階層の）サブディレクトリに記録されている。サブディレクトリのディレクトリ名は、直前の（すぐ上の階層の）サブディレクトまたはルートディレクトリに記録されている。
【００２５】
図２は、ディスク再生装置１０の構成を示す概略ブロック図である。ディスク再生装置１０は、システム制御部１１、表示部１２、操作部１３、再生動作駆動部１４、信号処理回路１５、およびＤ／Ａ変換器１６を備える。
【００２６】
システム制御部１１は、ディスク再生装置１０の各部にコマンドを出力して各部を制御するものであり、ＣＰＵ１１ａ、ＲＯＭ１１ｂおよびＲＡＭ１１ｃを含む。
【００２７】
ＣＰＵ１１ａは、操作部１３から入力される操作信号に基づいてＲＯＭ１１ｂに格納されている各種プログラムを読み出し、ＲＡＭ１１ｃのワークメモリに展開して当該プログラムに従って各種処理を実行する。
【００２８】
ＣＰＵ１１ａは、操作部１３から入力される操作信号の入力形態に基づいて、複数の機能を選択的に実行する。言い換えると、ＣＰＵ１１ａは、操作部１３の操作態様に基づいて、複数の機能を選択的に実行する。すなわち、同一の操作信号が入力されても（同一の操作部１３が操作されても）、操作信号の入力形態（操作部１３の操作態様）によって、ＣＰＵ１１ａが異なる機能を実行する。例えば、入力形態は、操作信号が入力されてから所定時間未満に操作信号の入力が終了する状態（操作部１３の短押し）と、操作信号が入力されてから所定時間以上、操作信号の入力が継続する状態（操作部１３の長押し）である。ＣＰＵ１１ａは、操作信号が入力されると、タイマカウントを開始し、操作信号の入力が所定時間以上継続しているか否かを判断し、実行する機能を決定する。なお、操作信号は、例えば、操作部１３が押し込まれた際に、ＣＰＵ１１ａに入力される電圧の電圧値が変化することをいう。また、操作信号は、外部から入力されるリモートコントロール信号（一定のパルス信号）でもよい。
【００２９】
実行される機能としては、記録媒体に記録された複数のコンテンツファイルの中から、１または複数のコンテンツファイルを選択する第１の選択モードまたは第２の選択モードへの遷移（ＣＰＵ１１ａの動作状態の移行）が挙げられる。第１の選択モードは、ディレクトを最上位のルートディレクトリＲＤから順にサブディレクトリＳＤへと辿っていき、所望のコンテンツファイルを選択するモード（以下、ＮＡＶＩ（ナビ）モードと呼ぶ）である。第２の選択モードは、コンテンツファイルが記録されているフォルダのみが表示部１２に順に表示されて所望のフォルダを選択した後、そのフォルダに含まれているコンテンツファイルを選択するモード（以下、フォルダモードと呼ぶ）である。
【００３０】
図３は、図１のディレクトリ構造の場合に、ＮＡＶＩモードでコンテンツファイルを選択する際の、表示部１２の表示画面の移り変わりを説明する図である。ＮＡＶＩモードが選択されると、表示部１２には（ａ）のようにルートディレクトリＲＤが表示される。この状態で決定信号が入力されると、（ｂ）に移り、表示部１２にサブディレクトリＳＤ１（またはディレクトリ名、以下同様）、ＳＤ２、ＳＤ３が選択信号によって選択的に（順番に）表示される。サブディレクトリＳＤ１が表示されている状態で、決定信号が入力されると、（ｃ）に移り、さらに下位のサブディレクトリＳＤ４、ＳＤ５が選択信号によって選択的に表示される。サブディレクトリＳＤ４が表示されている状態で決定信号が入力されると、（ｄ）に移り、コンテンツファイルＡ〜Ｃが選択信号によって選択的に表示される。サブディレクトリＳＤ５が表示されている状態で決定信号が入力されると、（ｅ）に移り、コンテンツファイルＤ〜Ｆが選択信号によって選択的に表示される。サブディレクトリＳＤ２が表示されている状態で決定信号が入力されると、（ｆ）に移り、コンテンツファイルＧ〜Ｉが選択信号によって選択的に表示される。コンテンツファイルＡ〜Ｉが表示されている状態で決定信号が入力されると、表示されているコンテンツファイルが選択され、当該コンテンツファイルが再生される。
【００３１】
図４は、図１のディレクトリ構造の場合に、フォルダモードでコンテンツファイルを選択する際の、表示部１２の表示画面の移り変わりを説明する図である。フォルダモードが選択されると、表示部１２には、（ａ）のように、コンテンツファイルが記録されているサブディレクトリＳＤ４（またはディレクトリ名、以下同様）、ＳＤ５、ＳＤ２が選択信号によって選択的に表示される。サブディレクトリＳＤ４が表示されている状態で決定信号が入力されると、（ｂ）に移り、コンテンツファイルＡ〜Ｃが選択信号によって選択的に表示される。サブディレクトリＳＤ５が表示されている状態で決定信号が入力されると、（ｃ）に移り、コンテンツファイルＤ〜Ｆが選択信号によって選択的に表示される。サブディレクトリＳＤ２が表示されている状態で決定信号が入力されると、（ｄ）に移り、コンテンツファイルＧ〜Ｉが選択信号によって選択的に表示される。コンテンツファイルＡ〜Ｉが表示されている状態で決定信号が入力されると、表示されているコンテンツファイルが選択され、当該コンテンツファイルが再生される。
【００３２】
ＣＰＵ１１ａは、操作信号が入力されると、操作信号の入力形態と、選択モードの優先順位とに基づいて、どちらの選択モードに遷移するかを判断する。優先順位は、操作信号の入力が所定時間未満で終了する（操作部１３の短押しの）場合に、ＮＡＶＩモードとフォルダモードとのうち、どちらの選択モードに遷移するかを表すものであり、ユーザによって設定可能である。つまり、ＮＡＶＩモードが優先されている場合、操作部１３の短押しによってＮＡＶＩモードに遷移し、長押しによってフォルダモードに遷移する。逆に、フォルダモードが優先されている場合、操作部１３の短押しによってフォルダモードに遷移し、長押しによってＮＡＶＩモードに遷移する。
【００３３】
ＲＡＭ１１ｃには下記表１に示す優先順位フラグが記憶されている。例えば、優先順位フラグが１にセットされることにより、ＮＡＶＩモードが優先され、優先順位フラグが０にリセットされることにより、フォルダモードが優先される。
【表１】
2007048391.tif 000003
【００３４】
ＲＯＭ１１ｂにはディスク再生装置１０の動作プログラム等が記憶されている。ＲＯＭ１１ｂは、磁気的、光学的記録媒体、または半導体等の不揮発性メモリで構成されている。
【００３５】
表示部１２は、ＬＣＤ（Liquid Crystal Display）等により構成され、コンテンツファイルの選択画面（図３、図４）を表示する。つまり、表示部１２ａは、ＣＰＵ１１ａから入力されるコマンドおよび文字情報に基づいて、コンテンツファイルのファイル名および／またはディレクトリ名を表示する。
【００３６】
操作部１３は、コンテンツ選択キー、再生キー、テンキー、ＳＫＩＰ ＵＰ／ＤＯＷＮキー、停止キー、ＥＪＥＣＴキー等の各種機能キーを備え、キー操作による操作信号をシステム制御部１１へ出力する。コンテンツ選択キーは、回転および押し込み可能なキーであり、回転操作によって選択信号を、押し込み操作によって決定信号をシステム制御部１１に出力する。また、コンテンツ選択キーの短押しまたは長押しによって、ＮＡＶＩモードに遷移するか、フォルダモードに遷移するかが決定される。また、操作部１３は、リモートコントロールによる操作信号をシステム制御部１１へ出力するようにしてもよい。
【００３７】
再生動作駆動部１４は、サブディレクトリに記録されたファイル名を読み出して、システム制御部１１に出力する。再生動作駆動部１４は、また、サブディレクトリに記録されたコンテンツファイルを読み出して、信号処理回路１５に出力する。再生動作駆動部１４は、光ピックアップ１４ａ、サーボ回路１４ｂを含む。再生動作駆動部１４は、システム制御部１１から入力されるコマンドにより、ディスク上の目的アドレスを検索し、該アドレスに対応するデータを再生する。光ピックアップ１４ａは、サーボ回路１４ｂにより制御されたスレッドにより、ディスクの半径方向に移動し、ディスクにレーザ光を照射して、その反射光を電気信号に変換することでディスクに記録されているデータを読み取る。
【００３８】
信号処理回路１５は、ＤＳＰ（Digital Signal Processor）等により構成され、光ピックアップ１４ａにより読み取られたコンテンツファイルのデータにデコード処理を実行する。具体的には、ＣＰＵ１１ａによりセッション毎のコンテンツファイルに応じたデコード方式（ＥＦＭデコード／ＡＡＣデコード／ＭＰ３デコード等）が設定されており、そのデコード方式のデコード処理が実行される。
【００３９】
Ｄ／Ａ変換器１６は、信号処理回路１５で処理されたコンテンツデータをアナログ信号に変換する。Ｄ／Ａ変換器１６の出力は、図示しない音声出力端子を介して、外部に接続されたアンプ装置およびスピーカに供給され、音声として再生される。
【００４０】
以上の構成を有するディスク再生装置１０について、コンテンツファイルの選択動作を、図５〜図７を参照して説明する。
【００４１】
まず、図５を参照して、ＮＡＶＩモードとフォルダモードとの優先順位をユーザの操作に基づいて選択する動作を説明する。ＣＰＵ１１ａは、優先順位を設定開始するための操作信号が入力されたか否かを判断する（Ｓ１）。操作部１３から優先順位を設定開始するための操作信号がシステム制御部１１に入力されると（Ｓ１：ＹＥＳ）、ＣＰＵ１１ａは、優先順位を設定するための設定画面を表示部１２に表示させる。
【００４２】
具体的には、表示部１２には、図６に示すように、ＮＡＶＩモードとフォルダモードとが選択信号によって選択的に表示されるので、所望の選択モードが表示部１２に表示された状態で、ユーザの操作によって、決定信号がシステム制御部１１に入力される。
【００４３】
ＮＡＶＩモードが表示された状態で決定信号が入力された場合、ＣＰＵ１１ａは、ＮＡＶＩモードが優先されると判断し（Ｓ２：ＹＥＳ）、優先順位をＮＡＶＩモードに設定する（Ｓ３）。つまり、ＲＡＭ１１ｃ内の優先順位フラグを１にセットする。一方、フォルダモードが表示された状態で決定信号が入力された場合、ＣＰＵ１１ａは、フォルダモードが優先されると判断し（Ｓ２：ＮＯ）、優先順位をフォルダモードに設定する。つまり、ＲＡＭ１１ｃ内の優先順位フラグを０にリセットする。
【００４４】
次に、図７を参照して、コンテンツファイルの選択動作を説明する。ＣＰＵ１１ａは、操作信号が入力されたか否かを判断する（Ｓ５）。コンテンツ選択キーがユーザによって押し込まれると、操作部１３から操作信号がシステム制御部１１に出力される。このとき、ＣＰＵ１１ａは、操作信号が入力されたと判断し（Ｓ５：ＹＥＳ）、ＲＡＭ１１ｃ内のタイマカウントを開始する（Ｓ６）。
【００４５】
次に、ＣＰＵ１１ａは、ＲＡＭ１１ｃ内の優先順位フラグを確認して、ＮＡＶＩモードが優先されている（優先順位フラグが１である）か否かを判断する（Ｓ７）。ＮＡＶＩモードが優先されている（優先順位フラグが１である）場合（Ｓ７：ＹＥＳ）、ＣＰＵ１１ａは、選択モードとしてＮＡＶＩモードに遷移する（Ｓ８）。すなわち、ＣＰＵ１１ａは、表示部１２に、図３に示す選択画面を表示させることによって、ユーザにコンテンツファイルを選択させる。
【００４６】
一方、フォルダモードが優先されている（優先順位フラグが０である）場合（Ｓ７：ＮＯ）、ＣＰＵ１１ａは選択モードとして、フォルダモードに遷移する（Ｓ９）。すなわち、ＣＰＵ１１ａは、表示部１２に、図４に示す選択画面を表示させることによって、ユーザにコンテンツファイルを選択させる。
【００４７】
次に、ＣＰＵ１１ａは、操作信号が入力され続けているかを判断する（Ｓ１０）。コンテンツ選択キーが押し続けられた場合、操作信号が入力され続けるので（Ｓ１０：ＹＥＳ）、ＣＰＵ１１ａは、ＲＡＭ１１ｃ内のタイマカウントをカウントアップし（Ｓ１１）、タイマによる計時時間が所定時間に達したか否かを判断する（Ｓ１２）。なお、所定時間は、コンテンツ選択キーの長押しと判断される時間であり、例えば２秒である。すなわち、操作信号が入力され続けた場合、Ｓ１２でタイマの計時時間が所定時間に達するまで、Ｓ１０〜Ｓ１２の処理を繰り返す。
【００４８】
Ｓ１２で、タイマの計時時間が所定時間に達すると、ＣＰＵ１１ａは、操作信号が所定時間以上継続して入力された（コンテンツ選択キーが長押しされた）と判断し、Ｓ１３に進み、Ｓ８、Ｓ９で遷移した選択モードと異なる選択モードに遷移する。つまり、ＣＰＵ１１ａは、ＲＡＭ１１ｃ内の優先順位フラグを確認して、ＮＡＶＩモードが優先されている（優先順位フラグが１である）か否かを再び判断する（Ｓ１３）。ＮＡＶＩモードが優先されている（優先順位フラグが１である）場合（Ｓ１３：ＹＥＳ）、ＣＰＵ１１ａは、選択モードとしてフォルダモードに遷移する（Ｓ１４）。すなわち、ＣＰＵ１１ａは、表示部１２に、図４に示す選択画面を表示させることによって、ユーザにコンテンツファイルを選択させる。
【００４９】
一方、フォルダモードが優先されている（優先順位フラグが０である）場合（Ｓ１３：ＮＯ）、ＣＰＵ１１ａは、選択モードとしてＮＡＶＩモードに遷移する（Ｓ１５）。すなわち、ＣＰＵ１１ａは、表示部１２に、図３に示す選択画面を表示させることによって、ユーザにコンテンツファイルを選択させる。
【００５０】
一方、Ｓ１２でタイマの計時時間が所定時間に達する前に、Ｓ１０で操作信号が入力されていないと判断されると、ＣＰＵ１１ａは、操作信号の入力が所定時間未満に終了した（コンテンツ選択キーが短押しされた）と判断し、Ｓ８またはＳ９で遷移した選択モードのまま処理を終了する。
【００５１】
以上の処理により、ＮＡＶＩモードが優先されている場合には、コンテンツ選択キーが短押しされたときＮＡＶＩモードに遷移し、長押しされたときフォルダモードに遷移する。フォルダモードが優先されている場合には、コンテンツ選択キーが短押しされたときフォルダモードに遷移し、長押しされたときＮＡＶＩモードに遷移する。従って、ユーザは使用頻度の高い（好みの）選択モードを優先するように優先順位を設定することにより、使用頻度の高い選択モードをコンテンツ選択キーの短押しで実行できるようになり、キー操作を非常に簡素化できる。
【００５２】
なお、ＮＡＶＩモードおよびフォルダモードのうち、ユーザの使用回数が多い方が自動的に優先されるようにすることができる。図８は、この処理を説明するフローチャートであり、図７と同一処理には同一符号を付し、説明を省略する。この処理においては、図５の優先順位の設定処理が不要である。
【００５３】
ＲＡＭ１１ｃには、優先順位フラグの代わりに、下記表２のような、ＮＡＶＩモードおよびフォルダモードに最終的に遷移した回数を示すカウンタを記憶している。つまり、本例では、最終的に遷移した回数の多い選択モードが自動的に優先される。ここで、最終的に遷移した回数とは、コンテンツ選択キーが長押しされてＳ１５またはＳ１６で選択モードが決定した場合に、Ｓ８またはＳ９で一旦遷移した選択モードは回数にカウントしないという意味である。また、特に限定されないが、最初の状態ではＮＡＶＩモード回数が１、フォルダモードの回数が０に設定されており、１回遷移する毎に回数を２ずつ加算していくことにより、ＮＡＶＩモードの回数と、フォルダモードの回数が同数にならないようにすることができる。
【表２】
2007048391.tif 000004
【００５４】
ＣＰＵ１１ａは、Ｓ１７において、表２のカウンタを参照して、ＮＡＶＩモードの方がフォルダモードより遷移回数が多いかを判断する。ＮＡＶＩモードの方が遷移回数が多い場合（Ｓ１７：ＹＥＳ）、ＣＰＵ１１ａはＮＡＶＩモードに遷移し、フォルダモードの方が遷移回数が多い場合（Ｓ１７：ＮＯ）、ＣＰＵ１１ａはフォルダモードに遷移する。
【００５５】
同様に、ＣＰＵ１１ａは、Ｓ２３において、表２のカウンタを参照して、ＮＡＶＩモードの方がフォルダモードより遷移回数が多いかを判断する。ＮＡＶＩモードの方が遷移回数が多い場合（Ｓ２３：ＹＥＳ）、ＣＰＵ１１ａはフォルダモードに遷移し、フォルダモードの方が遷移回数が多い場合（Ｓ２３：ＮＯ）、ＣＰＵ１１ａはＮＡＶＩモードに遷移する。
【００５６】
そして、Ｓ３０において、表２のカウンタにおいて、最終的に遷移した方の選択モードの回数を２増加させて処理を終了する。
【００５７】
以上の処理によって、優先する選択モードをユーザが設定する必要がなく、自動的にユーザが頻繁に使用する選択モードを、コンテンツ選択キーの短押しによって実行できるようにすることができる。
【００５８】
以上、本発明の好ましい実施形態を説明したが、本発明はこれらの実施形態には限定されない。操作信号の入力形態は、操作信号が入力される時間に限らず、操作信号が入力される回数であってもよい。この場合、ユーザの操作は、コンテンツ選択キーを押した回数（キーを１回押したか、２回押したか）に対応する。また、操作信号の入力形態に基づいて実行される機能は２つに限らず、例えば、３つであってもよい。つまり、操作信号の入力が、第１の所定時間継続しない場合、第１の所定時間以上継続した場合、第２の所定時間（第１の所定時間より長い）以上継続した場合に、それぞれ異なる機能が実行されてもよい。この場合、これらの機能の優先順位（第１位〜第３位）がＲＡＭ１１ｃに設定される。また、操作部１３が押し込みおよび回転が可能な場合に、押し込みおよび回転の優先順位を変更して、それぞれに割り当てられる機能を交換するようにしてもよい。
【産業上の利用可能性】
【００５９】
本発明は、コンテンツを選択する必要がある任意のディスク再生装置に好適に採用され得る。
【図面の簡単な説明】
【００６０】
【図１】本発明の好ましい実施形態によるディスク再生装置１０で再生されるディスクのデータ構造を示す図である。
【図２】本発明の好ましい実施形態によるディスク再生装置１０を示すブロック図である。
【図３】ＮＡＶＩモードに選択画面の移り変わりを説明する図である。
【図４】フォルダモードに選択画面の移り変わりを説明する図である。
【図５】優先順位を選択する動作を示すフローチャートである。
【図６】優先順位を選択する選択画面の移り変わりを説明する図である。
【図７】選択モードに遷移する動作を示すフローチャートである。
【図８】選択モードに遷移する他の実施例を示すフローチャートである。
【符号の説明】
【００６１】
１０            ディスク再生装置、操作信号処理装置、コンテンツ選択装置
１１            システム制御部
１２            表示部
１４            再生動作駆動部
【図１】
2007048391.tif 000005
【図２】
2007048391.tif 000006
【図３】
2007048391.tif 000007
【図４】
2007048391.tif 000008
【図５】
2007048391.tif 000009
【図６】
2007048391.tif 000010
【図７】
2007048391.tif 000011
【図８】
2007048391.tif 000012